(57)【特許請求の範囲】
【請求項１】
光を発生するための光発生手段と、
前記光発生手段に電力を供給するための電力供給手段と、
前記光発生手段と電力供給手段とを電気的に連結し、前記光発生手段に高電圧を提供するための少なくとも二つの第１電極線と前記光発生手段に低電圧を提供するための少なくとも二つの第２電極線とを含む複数の電力供給ラインと、
前記光発生手段に高電圧を提供するための絶縁皮膜で被服された前記第１電極線が互いに離隔されるように、前記複数の電力供給ラインを少なくとも該第１電極線が各々含まれる複数の組に区分し、該第１電極線が含まれる各電力供給ラインの組を更に被服して前記光発生手段に提供される前記電力の漏洩を防止するための第１漏洩防止手段と、を備えることを特徴とする液晶表示装置用光源装置。
【請求項２】
前記各電力供給ラインの組は、前記光発生手段に高電圧を提供するための第１電極線と前記光発生手段に低電圧を提供するための第２電極線とから成ることを特徴とする請求項１に記載の液晶表示装置用光源装置。
【請求項３】
前記少なくとも二つの第１電極線は、互いに離隔されるように前記第１漏洩防止手段によって各々被服され、前記少なくとも二つの第２電極線は第２漏洩防止手段によって共に被服されることを特徴とする請求項１に記載の液晶表示装置用光源装置。
【請求項４】
前記第１及び第２漏洩防止手段は、前記電力供給ラインの一部が露出されるように部分的に被服することを特徴とする請求項３に記載の液晶表示装置用光源装置。
【請求項５】
光を発生するための光発生手段と、
前記光を映像として表示するための表示手段にガイドするための導光手段と、
前記光発生手段及び導光手段を収納するための収納手段と、
前記収納手段に設置され、前記光発生手段に電力を供給するための電力供給手段と、
前記光発生手段と電力供給手段とを電気的に連結し、前記光発生手段に高電圧を提供するための少なくとも二つの第１電極線と前記光発生手段に低電圧を提供するための少なくとも二つの第２電極線とを含む複数の電力供給ラインと、
前記光発生手段に高電圧を提供するための絶縁皮膜で被服された前記第１電極線が互いに離隔されるように、前記複数の電力供給ラインを少なくとも該第１電極線が各々含まれる複数の組に区分し、該第１電極線が含まれる各電力供給ラインの組を更に被服して前記光発生手段に提供される前記電力の漏洩を防止するための第１漏洩防止手段と、を備えることを特徴とする液晶表示装置。
【請求項６】
前記各電力供給ラインの組は、前記光発生手段に高電圧を提供するための第１電極線と前記光発生手段に低電圧を提供するための第２電極線とから成ることを特徴とする請求項５に記載の液晶表示装置。
【請求項７】
前記少なくとも二つの第１電極線は、互いに離隔されるように前記第１漏洩防止手段によって各々被服され、前記少なくとも二つの第２電極線は第２漏洩防止手段によって共に被服されることを特徴とする請求項５に記載の液晶表示装置。
【請求項８】
前記第１及び第２漏洩防止手段は、前記収納容器の外部に露出された電力供給ラインを部分的に被服することを特徴とする請求項７に記載の液晶表示装置。
【請求項９】
前記収納手段に形成され、前記第１漏洩防止手段が設けられた前記複数の電力供給ラインを前記電力供給手段にガイドし、前記複数の電力供給ラインが前記収納手段から離脱することを防止するための固定手段が更に形成されることを特徴とする請求項５に記載の液晶表示装置。
【請求項１０】
前記第１漏洩防止手段の所定領域には、前記複数の電力供給ラインを前記固定手段に結合させるための結合部材が被服されることを特徴とする請求項９に記載の液晶表示装置。
【発明の詳細な説明】
【０００１】
【発明の属する技術分野】
本発明は液晶表示装置に関するものであり、より詳細には、光を発生するためのランプに提供される電流の漏洩を最小化することができる液晶表示装置用光源装置及びこれを有する液晶表示装置に関するものである。
【０００２】
【従来の技術】
最近、情報処理機器は多様な形態、多様な機能、さらに高速の情報処理速度を有するように急速に発展している。このような情報処理装置で処理される情報は電気信号の形態を有する。使用者が情報処理装置で処理された情報を目で確認するためにはインターフェース機能を有するディスプレー装置を必要とする。
【０００３】
最近、ＣＲＴ方式のディスプレー装置に比べて、軽量、小型でありながら、フル−カラー、高解像度具現などのような機能を有する液晶表示装置の開発が進んでいる。その結果、液晶表示装置は代表的な情報処理装置であるコンピュータのモニター、家庭用壁掛けテレビ、それ以外の情報処理装置のディスプレー装置として広く使用されることになった。
【０００４】
液晶表示装置は、液晶の特定の分子配列に電圧を印加して異なる分子配列へ変換させ、このような分子配列により発光する液晶セルの複屈折性、旋光性、２色性及び光散乱特性などの光学的性質の変化を視覚変化へ変換することで、液晶セルによる光の変調を利用したディスプレーである。
【０００５】
図１は従来の液晶表示装置を概略的に示した分解斜視図である。図２は図１に図示されたランプユニットに採用されたランプの構成を概略的に示した斜視図である。
【０００６】
図１を参照すれば、液晶表示装置１００は画像信号が印加されることにより、画面を表示するための液晶表示モジュール１３０と液晶表示モジュー１３０を収納するための前面ケース１１０及び背面ケース１２０で構成されている。液晶表示モジュール１３０は画面を示す液晶表示パネルを含むディスプレーユニット１７０及びディスプレーユニット１７０に光を提供するバックライトアセンブリ１５０を含む。
【０００７】
ディスプレーユニット１７０は、液晶表示パネル１７１、データ及びゲート印刷回路基板１７６、１７５、データ側データテープキャリアパッケージ１７８及びゲート側テープキャリアパッケージ１７４を含む。
【０００８】
液晶表示パネル１７１は、薄膜トランジスター基板１７２、カラーフィルタ基板１７３及び液晶（図示せず）を含む。
【０００９】
薄膜トランジスター基板１７２はマトリックス状の薄膜トランジスターが形成されている透明なガラス基板である。前記薄膜トランジスターのソース端子にはデータラインが連結され、ゲート端子にはゲートラインが連結される。かつ、ドレーン端子には透明な導電性材質であるインジウムティンオキサイド（ＩＴＯ）より成る画素電極を用いて形成される。
【００１０】
前記薄膜トランジスター基板１７２に対向してカラーフィルタ基板１７３が具備されている。カラーフィルタ基板１７３は光が通過する際所定の色が発現される色画素であるＲＧＢ画素が薄膜工程により形成された基板である。カラーフィルタ基板１７３の前面にはＩＴＯから成る共通電極が塗布されている。
【００１１】
前述した薄膜トランジスター基板１７２のトランジスターのゲート端子及びソース端子には電圧が印加されて薄膜トランジスターがターンオンされると、画素電極とカラーフィルタ基板の共通電極との間には電界が形成される。このような電界により薄膜トランジスター基板１７２とカラーフィルタ基板１７３の間に注入された液晶の配列角が変化し、変化した配列角に従って光透過率が変更されて所望の画素を得ることになる。
【００１２】
一方、前記液晶表示パネル１７１の液晶の配列角と液晶が配列される時期を制御するために、薄膜トランジスターのゲートラインとデータラインに駆動信号及びタイミング信号が印加される。
【００１３】
液晶表示パネル１７１の外部から映像信号の入力を受けてゲートラインとデータラインに各々駆動信号を印加するためのデータ側印刷回路基板１７６及びゲート側印刷回路基板１７５は液晶表示パネル１７１のデータライン側のデータ側テープキャリアパッケージ１７８及びゲート側テープキャリアパッケージ１７４に各々接続される。データ側印刷回路基板１７６はコンピュータなどのような外部の情報処理装置（図示せず）から発生した映像信号が印加されて前記液晶表示パネル１７１にデータ駆動信号を提供するためのソース部が形成され、ゲート側印刷回路基板１７５には前記液晶表示パネル１７１のゲートラインにゲート駆動信号を提供するためのゲート部が形成されている。すなわち、データ側印刷回路基板１７６及びゲート側印刷回路基板１７５は液晶表示装置を駆動するための信号であるゲート駆動信号、データ信号及びこれの信号を適切な時期に印加するための複数のタイミング信号を発生させ、ゲート駆動信号はゲート側テープキャリアパッケージ１７４を通じて液晶表示パネル１７１のゲートラインに印加し、データ信号はデータ側テープキャリアパッケージ１７８を通じて液晶表示パネル１７１のデータラインに印加する。
【００１４】
前記ディスプレーユニット１７０の下には前記ディスプレーユニット１７０に均一な光を提供するためのバックライトアセンブリ１５０が具備されている。バックライトアセンブリ１５０は液晶表示モジュール１３０の両端に具備されて光を発生させるためのランプユニット１６１、１６２、前記光をディスプレーユニット１７０側に案内するよう光の経路を変更するための導光板１５２、前記導光板１５２から射出される光の輝度を均一にするための複数個の光学シート１５３及び前記導光板１５２の下で導光板１５２から漏洩される光を導光板１５２に反射させて光の効率を高めるための反射板１５４が含まれる。
【００１５】
前記ディスプレーユニット１７０びバックライトアセンブリ１５０は収納容器であるモールドフレーム１３２により順次に収納され、前記ディスプレーユニット１７０が離脱されることを防止するために前記モールドフレーム１３２と対向して結合されるトップシャーシ１４０が提供される。
【００１６】
一方、液晶表示装置では前記モールドフレーム１３２を収納し、電磁波の遮蔽効果を高めるためのボトムシャーシ１３３が提供される。前記ボトムシャーシ１３３には外部電力を前記ランプユニット１６１、１６２のランプなどに供給するためにインバータ回路が具備された電力供給用印刷回路基板（図示せず、以下“インバータ”と言う）が実装される。
【００１７】
次、前記前面ケース１１０と背面ケース１２０を互いに対向結合して液晶表示装置が完成される。
【００１８】
図２を参照すれば、ランプユニット１６１、１６２に採用されたランプは、冷陰極線管１６１ａ、前記冷陰極線管１６１ａに外部電力を提供するための第１及び第２電極線１６３、１６４、前記冷陰極線管１６１ａの位置を定めるためのランプホールダ１６１ｂ、１６１ｃから成る。前記第１電極線１６３は前記冷陰極線管１６１ａに高電圧を提供し、第２電極線１６４は低電圧を提供する。そして、第１及び第２電極線１６３、１６４はコネクタ１６５に連結されて外部電源からの入力を受ける。
【００１９】
このようなランプは、液晶表示装置の画面の大きさにより複数個に構成されることができる。万一、ランプユニット１６１、１６２が複数個のランプに構成されると、ランプで電力を供給するための電極線も二つずつ増加する。即ち、図３に図示されたように、導光板１５２の両端に各々二つずつのランプが採用されると、一端で外部に引出される電極線は二つの高電圧用電極線１６３、１６３ａと二つの低電圧用電極線１６４、１６４ａからなる。
【００２０】
各ランプの両端に連結された低電圧用電極線及び高電圧用電極線は、図２に図示されたように各々のコネクタに接続される。そして、各コネクタは前記モールドフレーム１３２の背面に設置されるインバータ（図示せず）のコネクタと接続して外部電源からの入力を受ける。この時、前記複数の電極線１６３、１６３ａ、１６４、１６４ａうちで、前記ランプユニット１６１、１６２の外部に引出された一部分には前記個別的に散らばっている複数の電極線１６３、１６３ａ、１６４、１６４ａが液晶表示装置の組立性に妨害にならないようにするために、前記複数の電極線１６３、１６３ａ、１６４、１６４ａを一つに縛ってまとめる収縮チューブ（シュリンクチューブ）１６７が被服される。
【００２１】
しかし、図４に図示されたように、収縮チューブ１６７によって複数の高電圧用電極線１６３、１６３ａと複数の低電圧用電極線１６４、１６４ａが互いに密着して被服されると、次のような問題点が発生される。
【００２２】
一番目として、収縮チューブ１６７によって互いに密着させられたれた複数の電極線間のカップリング（ｃｏｕｐｌｉｎｇ・結合）により漏洩電流が発生される。即ち、ランプを始動するためにインバータ（図示せず）から提供される電圧が前記ランプに十分に供給されない。したがって、ランプを始動するための始動電圧が高まる。
【００２３】
二番目として、点灯されたランプのフリッカリング（ｆｌｉｃｋｅｒｉｎｇ）が始まるランプの管電流が高まる。即ち、インバータからランプに供給される電力の漏洩電流が少しだけ高まってもランプのフリッカリングが発生される。
【００２４】
三番目として、上述した問題点によって液晶表示装置で使用される電力消費量が増加し、特に液晶表示装置が低温の環境で使用される場合、ランプ内部のインピーダンスが増加するために、さらに高い始動電圧と管電流が要求される。
【００２５】
【発明が解決しようとする課題】
上述した問題点を解決するための本発明は、光を発生するためのランプに提供される電流の漏洩を最小化することができる液晶表示装置用光源装置を提供するものである。
【００２６】
本発明の他の目的は、上述した目的を達成することができる光源装置を有する液晶表示装置を提供するものである。
【００２７】
【課題を解決するための手段】
上記目的を達成するためになされた本発明による液晶表示装置用光源装置は、光を発生するための光発生手段と、前記光発生手段に電力を供給するための電力供給手段と、前記光発生手段と電力供給手段とを電気的に連結し、前記光発生手段に高電圧を提供するための少なくとも二つの第１電極線と前記光発生手段に低電圧を提供するための少なくとも二つの第２電極線とを含む複数の電力供給ラインと、前記光発生手段に高電圧を提供するための絶縁皮膜で被服された前記第１電極線が互いに離隔されるように、前記複数の電力供給ラインを少なくとも該第１電極線が各々含まれる複数の組に区分し、該第１電極線が含まれる各電力供給ラインの組を更に被服して前記光発生手段に提供される前記電力の漏洩を防止するための第１漏洩防手段と、を備えることを特徴とする。
【００２８】
上記目的を達成するためになされた本発明による液晶表示装置は、光を発生するための光発生手段と、前記光を映像として表示するための表示手段にガイドする導光手段と、前記光発生手段及び導光手段を収納するための収納手段と、前記収納手段に設置され、前記光発生手段に電力を供給するための電力供給手段と、前記光発生手段と電力供給手段とを電気的に連結し、前記光発生手段に高電圧を提供するための少なくとも二つの第１電極線と前記光発生手段に低電圧を提供するための少なくとも二つの第２電極線とを含む複数の電力供給ラインと、前記光発生手段に高電圧を提供するための絶縁皮膜で被服された前記第１電極線が互いに離隔されるように、前記複数の電力供給ラインを少なくとも該第１電極線が各々含まれる複数の組に区分し、該第１電極線が含まれる各電力供給ラインの組を更に被服して前記光発生手段に提供される前記電力の漏洩を防止するための第１漏洩防止手段と、を備えることを特徴とする。
【００３０】
前記各電力供給ラインの組は、前記光発生手段に高電圧を提供するための第１電極線と前記光発生手段に低電圧を提供するための第２電極線とから成り、前記少なくとも二つの第１電極線は、互いに離隔されるように前記第１漏洩防止手段によって各々被服され、前記少なくとも二つの第２電極線は第２漏洩防止手段によって共に被服される。前記第１及び第２漏洩防止手段は、前記電力供給ラインの一部が露出されるように部分的に被服する。
【００３１】
前記収納手段には、前記第１漏洩防止部材が設けられた前記複数の電力供給ラインを前記電力供給手段にガイドし、前記複数の電力供給ラインが前記収納手段から離脱することを防止するための固定手段が更に形成され、前記第１漏洩防止手段の所定領域には、前記複数の電力供給ラインを前記固定手段に結合させるための結合部材が被服される。
【００３２】
このような光源装置及び液晶表示装置によると、前記第１及び第２電極線、特に高電圧を印加するための前記第１電極線は互いに所定の離隔距離を維持するように収縮チューブにより分離される。
【００３３】
従って、前記第１電極線間のカップリング現象による漏洩電流を最小化することができ、前記ランプを始動したり、駆動状態を維持したりするために提供されるランプ始動電圧及び駆動電圧の消費を減少することができる。
【００３４】
【発明の実施の形態】
以下、図面を参照して本発明の望ましい実施形態をより詳細に説明する。
【００３５】
図５は本発明の望ましい実施形態による液晶表示装置の分解斜視図である。
【００３６】
図５を参照すれば、液晶表示装置２００は、画像信号が印加され画面を表示するための液晶表示モジュール２３０、液晶表示モジュール２３０を収納するための前面ケース２１０及び背面ケース２２０で構成されたケースとを含む。
【００３７】
液晶表示モジュール２３０は画面を表示する液晶表示パネルを含むディスプレーユニット２７０及び前記ディスプレーユニット２７０に光を提供するためのバックライトアセンブリ２５０から成る。
【００３８】
前記ディスプレーユニット２７０は液晶表示パネル２７１、パネル駆動用印刷回路基板（以下、“統合印刷回路基板”と言う）２７６、データ側テープキャリアパッケージ２７８（ＴＣＰ：ｔａｐｅ  ｃａｒｒｉｅｒ  ｐａｃｋａｇｅ）及びゲート側テープキャリアパッケージ２７４を含む。
【００３９】
液晶表示パネル２７１は薄膜トランジスター基板２７２、カラーフィルタ基板２７３及び液晶（図示せず）を含む。
【００４０】
薄膜トランジスター基板２７２はマトリックス状に薄膜トランジスターが形成されている透明なガラス基板である。前記薄膜トランジスターのソース端子にはデータラインが連結され、ゲート端子にはゲートラインが連結される。かつ、ドレーン端子は透明な導電性材質であるインジウムティンオキサイド（ＩＴＯ）で構成される画素電極によって形成される。
【００４１】
データライン及びゲートラインに電気信号を入力すると、各々の薄膜トランジスターのソース端子とゲート端子に電気信号が入力され、この電気信号の入力に従って薄膜トランジスターはターンオンまたはターンオフされて、ドレーン端子を介して画素形成に必要な電気信号が出力される。
【００４２】
前記薄膜トランジスター基板２７２に対向してカラーフィルタ基板２７３が具備されている。カラーフィルタ基板２７３は光が通過する際に所定の色が発現される色画素であるＲＧＢ画素が薄膜工程により形成された基板である。カラーフィルタ基板２７３の前面にはＩＴＯから成った共通電極が塗布されている。
【００４３】
前述した薄膜トランジスター基板２７２のトランジスターのゲート端子及びソース端子に電圧が印加されて薄膜トランジスターがターンオンされると、画素電極とカラーフィルタ基板２７３の共通電極との間には電界が形成される。このような電界により薄膜トランジスター基板２７２とカラーフィルタ基板２７３の間に注入された液晶の配列角が変化し、変化した配列角に従って光透過率が変更されて所望の画素を得ることになる。
【００４４】
前記液晶表示パネル２７１の液晶の配列角と液晶が配列される時期とを制御するために、薄膜トランジスターのゲートラインとデータラインとに駆動信号及びタイミング信号が印加される。
【００４５】
図示したように、液晶表示パネル２７１のソース側にはデータ駆動信号の印加時期を決定する可撓性回路基板の一種であるデータ側テープキャリアパッケージ２７８が設けられており、ゲート側にはゲート駆動信号の印加時期を決定するためのゲート側テープキャリアパッケージ２７４が設けられている。
【００４６】
液晶表示パネル２７１の外部から映像信号の入力を受けてゲートラインとデータラインとに各々駆動信号を印加するための統合印刷回路基板２７６は、液晶表示パネル２７１のデータライン側のデータ側テープキャリアパッケージ２７８に接続される。統合印刷回路基板２７６はコンピュータなどのような外部の情報処理装置（図示せず）から発生した映像信号が印加されて前記液晶表示パネル２７１にデータ駆動信号を提供するためのソース部と前記液晶表示パネル２７１のゲートラインにゲート駆動信号を提供するためのゲート部が形成されている。
【００４７】
すなわち、統合印刷回路基板２７６は液晶表示装置を駆動するための信号であるゲート駆動信号、データ信号及びこれらの信号を適切な時期に印加するための複数のタイミング信号を発生させ、ゲート駆動信号はゲート側テープキャリアパッケージ２７４を通じて液晶表示パネル２７１のゲートラインに印加され、データ信号はデータ側テープキャリアパッケージ２７８を通じて液晶表示パネル２７１のデータラインに印加される。一方、前記統合印刷回路基板２７６に形成されたソース部及びゲート部は別途の印刷回路基板により構成することもできる。より詳しく述べれば、前記統合印刷回路基板２７６のゲート部を別途の印刷回路基板で形成して、前記ゲート側テープキャリアパッケージ２７４側に接続し、前記統合印刷回路基板２７６にはソース部のみを形成してデータ側テープキャリアパッケージ２７８に接続とすることもできる。
【００４８】
前記ディスプレーユニット２７０の下には前記ディスプレーユニット２７０に均一な光を提供するためのバックライトアセンブリ２５０が具備されている。バックライトアセンブリ２５０は光を発生させるための第１及び第２ランプユニット２６１、２６２を含む。第１及び第２ランプユニット２６１、２６２には各々二つずつのランプが実装されており、これらランプは冷陰極蛍光ランプが使用される。
【００４９】
導光板２５２は前記ディスプレーユニット２７０の液晶表示パネル２７１に対応する大きさを有し、液晶表示パネル２７１の下に位置して第１及び第２ランプユニット２６１、２６２から発生された光をディスプレーユニット２７０側に案内するように光の経路を変更する。
【００５０】
前記導光板２５２の上には導光板２５２から出射されて前記液晶表示パネル２７１に向かう光の輝度を均一にするための複数個の光学シート２５３が具備されている。かつ、導光板２５２の下には導光板２５２から漏洩される光を導光板２５２に反射させて光の効率を高めるための反射板２５４が具備されている。
【００５１】
前記ディスプレーユニット２７０とバックライトアセンブリ２５０は収納容器であるボトムシャーシ３００に収納され、前記ボトムシャーシ３００はモールドフレーム６００により固定支持される。前記モールドフレーム６００はボトムシャーシ３００の背面が外部に露出されるように基底面が開口された形態を有し、前記統合印刷回路基板２７６が折り曲げて実装される領域は、前記統合印刷回路基板２７６に実装された回路部品が円滑に収納されることができるように部分的に開口されている。
【００５２】
図面には図示されなかったが、前記モールドフレーム６００の開口された基底面を通じて露出された前記ボトムシャーシ３００の背面には電力供給用印刷回路基板（以下、“インバータボード”と言う）及び信号変換用印刷回路基板（以下、“Ａ/Ｄボード”と言う）が設置される。前記インバータボード（図示せず）は外部電源を所定の電圧レベルへ変圧して、前記第１及び第２ランプユニット２６１、２６２に提供し、前記Ａ／Ｄボード（図示せず）は前記統合印刷回路基板２７６と接続して外部データ信号即ち、アナログデータ信号をデジタルデータ信号へ変換して、前記液晶表示パネル２７１に提供する。
【００５３】
かつ、前記ディスプレーユニット２７０の上には、前記統合印刷回路基板２７６を前記モールドフレーム６００の外縁に沿って折り曲げる作用をすると同時に、前記ディスプレーユニット２７０が前記ボトムシャーシ３００から離脱されることを防止するためのトップシャーシ２４０が提供される。以後、前記トップシャーシ２４０とモールドフレーム６００側で各々前記前面ケース２１０及び背面ケース２２０が結合されて液晶モニター装置が完成される。
【００５４】
図６は本発明の望ましい一実施形態によるランプユニットに採用されたランプの構成を示した斜視図であり、図７は図６に図示されたランプの電極線をＢ１−Ｂ２により切断した断面構造を示した断面図である。ここでは、一つのランプユニットが二つのランプを用いる場合を一例として説明するが、ランプの個数と関係なしに、本発明の構成は適用されることができる。
【００５５】
図６に図示されたように、前記第１ランプユニット２６１のランプカバー内には第１及び第２ランプ２８０、２９０が採用される。前記第１及び第２ランプ２８０、２９０の両端には各々前記第１及び第２ランプ２８０、２９０の位置を定めるためのランプホールダ２８２ａ、２８２ｂ、２９２ａ、２９２ｂが設置される。前記ランプホールダ２８２ａ、２８２ｂ、２９２ａ、２９２ｂのうちで互いに対応する端部に位置したランプホールダ、例えば、参照番号“２８２ａ”及び“２９２ａ”そして“２８２ｂ”及び“２９２ｂ”は一体で形成されることができる。
【００５６】
前記第１ランプ２８０の両端には前記インバータボード（図示せず）からの電力を前記第１ランプ２８０に提供するための第１及び第２電極線２８４ａ、２８４ｂが各々接続される。前記第１電極線２８４ａは前記第１ランプ２８０に高電圧を提供し、前記第２電極線２８４ｂは前記第１ランプ２８０に低電圧を提供して、接地状態を維持する。前記第１及び第２電極線２８４ａ、２８４ｂの他の一端部は第１コネクタ２８６に接続され、前記第１及び第２電極線２８４ａ、２８４ｂは前記第１コネクタ２８６を通じて前記インバータボード（図示せず）から前記第１ランプ２８０の始動電力及び駆動電力を受ける。
【００５７】
同様に、前記第２ランプ２９０の両端には、前記インバータボード（図示せず）からの電力を前記第２ランプ２９０に提供するための第３及び第４電極線２９４ａ、２９４ｂが各々接続される。前記第３電極線２９４ａは前記第２ランプ２９０に高電圧を提供し、前記第４電極線２９４ｂは前記第２ランプ２９０に低電圧を提供して、接地状態を維持する。前記第３及び第４電極線２９４ａ、２９４ｂの他の一端部は第２コネクタ２９６に接続され、前記第３及び第４電極線２９４ａ、２９４ｂは前記第２コネクタ２９６を通じて前記インバータボード（図示せず）から前記第２ランプ２９０の始動電力及び駆動電力を受ける。ここで、低電圧が印加される前記第２及び第４電極線２８４ｂ、２９４ｂは高電圧が印加される前記第１及び第２電極線２８４ａ、２８４ｂに沿うように長く延長され、各々前記第１及び第２コネクタ２８６、２９６に接続される。図面では具体的に図示されなかったが、ここで前記第１乃至第４電極線２８４ａ、２８４ｂ、２９４ａ、２９４ｂは内部に導電性が優れた材質から成った導電線が収容されており、これら導電線が絶縁材質から成った被服体によって薄く被服されている電極線である。
【００５８】
一方、前記第１及び第２電極線２８４ａ、２８４ｂは第１収縮チューブ２８８によって一つの束に結合され、前記第３及び第４電極線２９４ａ、２９４ｂは第２収縮チューブ２９８によって一つの束に結合される。これら第１及び第２収縮チューブ２８８、２９８でまとめられた前記第１乃至第４電極線２８４ａ、２８４ｂ、２９４ａ、２９４ｂ全体の被服は部分的に形成されるが、これに関しては次の図面を参照して後述する。
【００５９】
図７に図示されたように、前記第１及び第２収縮チューブ２８８、２９８を利用して、前記第１及び第２ランプ２８０、２９０の第１乃至第４電極線２８４ａ、２８４ｂ、２９４ａ、２９４ｂを各々分離すると、高電圧が印加される第１及び第３電極線２８４ａ、２９４ａが前記第１及び第２収縮チューブ２８８、２９８によって被服された厚さに相当した量だけ離隔される。従って、前記第１及び第３電極線２８４ａ、２９４ａが離隔された距離に対応して、前記第１及び第３電極線２８４ａ、２９４ａ間のカップリング現象が減少されるものである。かつ、前記第１及び第２収縮チューブ２８８、２９８は絶縁材質で形成される。従って、前記第１乃至第４電極線２８４ａ、２８４ｂ、２９４ａ、２９４ｂの間を単純に離隔させる場合に比べて、前記第１乃至第４電極線２８４ａ、２８４ｂ、２９４ａ、２９４ｂ間のカップリング現象をより効率的に減少させることができる。
【００６０】
上述したように第１及び第２収縮チューブ２８８、２９８によって被服された第１乃至第４電極線２８４ａ、２８４ｂ、２９４ａ、２９４ｂは、前記第１ランプユニット２６１から外部に引出されて、前記モールドフレーム６００の背面に延長される。即ち、前記第１及び第２コネクタ２８６、２９６は前記モールドフレーム６００の背面側に実装された前記インバータボード（図示せず）のコネクタに連結して、前記第１及び第２ランプ２８０、２９０の始動電力及び駆動電力が入力される。
【００６１】
図８は図６に図示された電極線を図５に図示されたモールドフレームに固定させるための結合部材が被服された状態を示した斜視図である。図９は図８に図示された電極線をＣ１−Ｃ２で切断した断面構造を示した断面図である。図１０は図８に図示された電極線を図５に図示されたモールドフレームに固定させた状態を示した斜視図である。図１１は図１０に図示された電極線がモールドフレームの背面に固定された構造を示した断面図である。
【００６２】
図８乃至図１１を参照すれば、このように延長される前記第１乃至第４電極線２８４ａ、２８４ｂ、２９４ａ、２９４ｂを前記モールドフレーム６００の背面に容易に固定するために、前記第１及び第２収縮チューブ２８８、２９８の外面には第１及び第２結合部材２８９ａ、２８９ｂが所定距離に離隔され被服される。即ち、前記第１及び第２収縮チューブ２８８、２９８により二つの束に分けられた第１乃至第４電極線２８４ａ、２８４ｂ、２９４ａ、２９４ｂは、前記第１及び第２結合部材２８９ａ、２８９ｂにより一つの束に統合される。なぜならば、第１乃至第４電極線２８４ａ、２８４ｂ、２９４ａ、２９４ｂが第１及び第２収縮チューブ２８８、２９８により二つの束に整理されても、図１１に図示されたようなフック形態の第１及び第２固定突起２８７、２９７に容易に結合されるためには一つの束に結合されることが望ましいためである。
【００６３】
前記第１及び第２結合部材２８９ａ、２８９ｂは図１０に図示されたように、前記モールドフレーム６００の背面に形成される第１及び第２固定突起２８７、２９７の数によって変えることができる。
【００６４】
図１０を参照すれば、前記モールドフレーム６００の背面には前記インバータボード５００が実装されており、前記インバータボード５００の一側端部には第３及び第４コネクタ５１０、５１２が設置されている。前記インバータボード５００は外部電力の入力を受けて、液晶表示装置で要求される電圧レベルに変圧して前記第１及び第２ランプユニット２６１、２６２及び他の回路部品へ適切な電力を提供する。第１及び第２ランプ２８０、２９０に提供される電力は、前記第３及び第４コネクタ５１０、５１２そして前記第１及び第２コネクタ２８６、２９６を通じて提供される。
【００６５】
前記第１ランプユニット２６１と前記インバータボード５００との間には前記モールドフレーム６００と一体で形成される第１及び第２固定突起２８７、２９７が所定距離で離隔されて形成される。そして、前記第１ランプユニット２６１から前記インバータボード５００まで延長された第１乃至第４電極線２８４ａ、２８４ｂ、２９４ａ、２９４ｂは前記第１及び第２固定突起２８７、２９７に挿着されて固定される。
【００６６】
この時、図１１に図示されたように、前記第１及び第２収縮チューブ２８８、２９８で、前記第１及び第２固定突起２８７、２９７に挿着される部分には前記第１及び第２結合部材２８９ａ、２８９ｂが被服されて、前記第１乃至第４電極線２８４ａ、２８４ｂ、２９４ａ、２９４ｂを一つの束に結合する。
【００６７】
もし、前記第１及び第２結合部材２８９ａ、２８９ｂにより前記第１乃至第４電極線２８４ａ、２８４ｂ、２９４ａ、２９４ｂが一つの束に統合されていなければ、前記第１及び第２固定突起２８７、２９７には前記第１及び第２収縮チューブ２８８、２９８により二つの束に分離された第１乃至第４電極線２８４ａ、２８４ｂ、２９４ａ、２９４ｂが挿着されることになる。一つの束に統合された第１乃至第４電極線２８４ａ、２８４ｂ、２９４ａ、２９４ｂは、特に前記第１及び第２固定突起２８７、２９７がフック形態で形成されているため、液晶表示装置の組立過程で前記第１及び第２固定突起２８７、２９７から容易に離脱することがないという長所を有する。
【００６８】
一方、前記モールドフレーム６００に形成された第１及び第２固定突起２８７、２９７は図１２に図示されたように溝の形態に代えることができる。図１２は図６に図示された電極線をモールドフレームに固定させるための他の実施形態を示す。
【００６９】
図１２を参照すれば、前記第１ランプユニット２６１から第１乃至第４電極線２８４ａ、２８４ｂ、２９４ａ、２９４ｂが引出される部分に、前記モールドフレーム６００の側壁に所定領域を凹陥させて溝６１０を形成する。そして、前記溝６１０に前記第１及び第２収縮チューブ２８８、２９８により被服された前記第１乃至第４電極線２８４ａ、２８４ｂ、２９４ａ、２９４ｂを挿入する。次、図１０に図示されたように、前記第１乃至第４電極線２８４ａ、２８４ｂ、２９４ａ、２９４ｂを前記インバータボード５００に延長して前記第１及び第２コネクタ２８６、２９６を前記第３及び第４コネクタ５１０、５１２に接続する。
【００７０】
このように、モールドフレーム６００に形成された溝６１０に第１乃至第４電極線２８４ａ、２８４ｂ、２９４ａ、２９４ｂを挿入する場合、前記トップシャーシ２４０が前記モールドフレーム６００に結合されることによって第１乃至第４電極線２８４ａ、２８４ｂ、２９４ａ、２９４ｂが前記モールドフレーム６００から離脱されることが防止される。従って、前記第１乃至第４電極線２８４ａ、２８４ｂ、２９４ａ、２９４ｂを一つの束に統合するために、前記第１及び第２収縮チューブ２８８、２９８に上述したような第１及び第２結合部材２８９ａ、２８９ｂを被服する必要がない。
【００７１】
一方、前記第１乃至第４電極線２８４ａ、２８４ｂ、２９４ａ、２９４ｂの離隔は、図１３に図示されたように、三つの束により構成されることもできる。
【００７２】
図１３は図６に図示された電極線の他の結合構造を示した斜視図であり、図１４は図１３に図示された電極線をＤ１−Ｄ２で切断した断面構造を示した断面図である。図１３及び図１４において、図６に図示された構成要素と同様な構成要素に対しては同一の参照番号を併記する。
【００７３】
図１３及び図１４を参照すれば、前記第１及び第２ランプ２８０、２９０に高電圧を印加する第１及び第３電極線２８４ａ、２９４ａは各々第１及び第２収縮チューブ２８８、２９８により被服されている。そして、前記第１ランプ２８０に低電圧を印加する前記第２電極線２８４ｂ及び前記第２ランプ２９０に低電圧を印加する第４電極線２９４ｂは第３収縮チューブ２９９によって共に被服されている。
【００７４】
従って、高電圧を印加する第１及び第３電極線２８４ａ、２９４ａは図９と同様に第１及び第２収縮チューブ２８８、２９８によって互いに離隔された状態を維持する。かつ、前記第１及び第３電極線２８４ａ、２９４ａは低電圧を印加する第２及び第４電極線２８４ｂ、２９４ｂとの間でも前記第１、第２及び第３収縮チューブ２８８、２９８、２９９によって互いに離隔された状態を維持する。
【００７５】
このように、高電圧用電極線と低電圧用電極線を分離すると、高電圧用電極線と低電圧用電極線の間で発生されることができる電極線間のカップリング現象も防止することができる。
【００７６】
図１３及び図１４に図示されたように、前記第１乃至第４電極線２８４ａ、２８４ｂ、２９４ａ、２９４ｂを三つの束に分離している前記第１、第２及び第３収縮チューブ２８８、２９８、２９９の外面には前記第１及び第２結合部材２８９ａ、２８９ｂが被服される。同様に、前記第１乃至第４電極線２８４ａ、２８４ｂ、２９４ａ、２９４ｂを一つの束に結合する前記第１及び第２結合部材２８９ａ、２８９ｂは図１０に図示されたように前記モールドフレーム６００の背面に形成された第１及び第２固定突起２８７、２９７に前記第１乃至第４電極線２８４ａ、２８４ｂ、２９４ａ、２９４ｂを安定的に挿着する役割をする。
【００７７】
一方、上述した第１乃至第４電極線２８４ａ、２８４ｂ、２９４ａ、２９４ｂ間のカップリング現象を防止するための方法として、電極線の材質を変更したり収縮チューブの長さを可変することもできる。
【００７８】
具体的に、第１乃至第４電極線２８４ａ、２８４ｂ、２９４ａ、２９４ｂのうちで低電圧を印加する第２及び第４電極線２８４ｂ、２９４ｂを誘電常数がさらに小さい材質の電極線に交換すると、電極線間のカップリング現象をより効率的に防止することができる。
【００７９】
かつ、前記第１乃至第４電極線２８４ａ、２８４ｂ、２９４ａ、２９４ｂで前記モールドフレーム６００の背面に延長される部分に被服される前記第１、第２及び第３収縮チューブ２８８、２９８、２９９の被服長さを適切に調整すると、前記第１乃至第４電極線２８４ａ、２８４ｂ、２９４ａ、２９４ｂ間のキャパシタンスが変化される。従って、前記第１乃至第４電極線２８４ａ、２８４ｂ、２９４ａ、２９４ｂ間に適正なキャパシタンスが維持されるように、前記第１、第２及び第３収縮チューブ２８８、２９８、２９９の長さを調整して電極線間のカップリング現象による電流漏洩を減少することができる。
【００８０】
図１５及び図１６は図６に図示された電極線を採用した液晶表示装置でランプの始動電圧を示したグラフである。そして、下記表１は前記第１乃至第４電極線２８４ａ、２８４ｂ、２９４ａ、２９４ｂの結合構造の変更によって可変わるランプの始動電圧及び管電流を示す。
【００８１】
表１でサンプル１は前記第１乃至第４電極線２８４ａ、２８４ｂ、２９４ａ、２９４ｂを一つの収縮チューブを利用して結合した従来の電極線サンプルを示し、サンプル２は前記第１乃至第４電極線２８４ａ、２８４ｂ、２９４ａ、２９４ｂうちで低電圧用電極線である第２及び第４電極線２８４ｂ、２９４ｂをサンプル１に比べて誘電常数がさらに小さい材質の電極線に変更して、一つの収縮チューブにより結合したサンプルを示す。かつ、サンプル３は上述したように、前記第１及び第２電極線２８４ａ、２８４ｂを前記第１収縮チューブ２８８を利用して一つで結合し、前記第３及び第４電極線２９４ａ、２９４ｂを前記第２収縮チューブ２９８を利用して一つで結合したサンプルを示す。そして、サンプル４は前記第１及び第２収縮チューブ２８８、２９８の被服長さを減少、例えば１２ｃｍから５ｃｍに減少させた状態で前記第１乃至第４電極線２８４ａ、２８４ｂ、２９４ａ、２９４ｂを一つの収縮チューブで結合したサンプルを示す。かつ、各サンプルに対する電圧測定は同一の構造を有する二つのサンプルに対して各々２３．５℃の常温と−５．０℃の低温環境で実施された。
【表１】
0004817090.tif 000002
【００８２】
図１５及び図１６、そして表１を参照すれば、サンプル１乃至サンプル４の常温でのランプ始動電圧は、各々“７９０”、“２７３”、“７６３”及び“７６０”の平均値を示した。従来の電極線結合構造を示すサンプル１のランプ始動電圧が相対的に高い値を示した。これはランプを始動するために前記インバータボードからランプ側に提供される電圧値がサンプル２乃至サンプル４より高く要求されることを意味する。
【００８３】
即ち、従来の電極線結合構造では前記インバータボードからの電力を前記ランプ側に転送する電極線で漏洩電流が多く発生するため、前記インバータボードからさらに高い始動電圧の出力が要求されるものである。これに反して、サンプル２乃至サンプル４は前記第１乃至第４電極線２８４ａ、２８４ｂ、２９４ａ、２９４ｂでの漏洩電流がサンプル１に比べて小さいため、前記インバータボードからの始動電圧が低くてよい。
【００８４】
表１に示したように、前記始動電圧は低温環境でも同様な結果を示した。低温環境で、サンプル１乃至サンプル４は各々“８８５”、“８５５”、“８５１”及び“８５１”のランプ始動電圧を要求した。これは、電極線の材質の変更、収縮チューブによる電極線の離隔及び収縮チューブの被服長さの変更などが前記第１乃至第４電極線２８４ａ、２８４ｂ、２９４ａ、２９４ｂでの漏洩電流を減少させてくれることを示している。
【００８５】
同様に、各サンプルのランプのフリッカリングが始まるランプの管電流の平均値は各々“２．７”、“２．２”、“２．３”、“２．２”で示された。サンプル１のフリッカリング始め管電流値がサンプル２乃至サンプル４に比べて高いという事実は、サンプル１のような電極線結合構造を有するランプでのフリッカリングを除去するためには、前記インバータボードからさらに高いランプ駆動電圧が要求されることを意味する。従って、サンプル２乃至サンプル４のような電極線構造を有するランプは、サンプル１のランプより相対的に低いランプ駆動電圧が印加されてもフリッカリング現象が発生されないことを意味する。結果的に、サンプル２乃至サンプル４の電極線の結合構造でサンプル１の電極線の結合構造より漏洩電流が小さいことが分かる。
【００８６】
以上、本発明の実施例によって詳細に説明したが、本発明はこれに限定されず、本発明が属する技術分野において通常の知識を有するものであれば本発明の思想と精神を離れることなく、本発明を修正または変更できるであろう。
【００８７】
【発明の効果】
上述したような光源装置及び液晶表示装置によると、前記インバータボードからの高電圧を前記ランプに提供する前記第１及び第３電極線は第１及び第２収縮チューブによって互いに隔離される。そして、前記ランプに低電圧を提供する前記第２及び第４電極線は前記第１及び第２収縮チューブによって各々第１及び第３電極線と結合したり、又は前記第３収縮チューブによって前記第１及び第３電極線とは別途で分離されて結合される。即ち、前記第１乃至第４電極線、特に高電圧を印加するための前記第１及び第３電極線は互いに所定の離隔距離を維持するように収縮チューブによって分離される。
【００８８】
従って、前記第１乃至第４電極線間のカップリング現象による漏洩電流を減少することができ、前記ランプを始動したり駆動状態を維持するために提供されるランプ始動電圧及び駆動電圧の消費を最小化することができ、外部温度環境に関係なしに液晶表示装置を安定的に駆動することができる。
【図面の簡単な説明】
【図１】  従来の液晶表示装置を概略的に示した分解斜視図である。
【図２】  図１に図示されたランプユニットに採用されたランプの構成を概略的に示した斜視図である。
【図３】  図２に図示された電力供給ラインに収縮チューブを被服した状態を示した斜視図である。
【図４】  図３に図示された電力供給ラインをＡ１−Ａ２で切断した断面を示した断面図である。
【図５】  本発明の望ましい実施形態に従う液晶表示装置の分解斜視図である。
【図６】  本発明の望ましい実施形態によるランプユニットに採用されたランプの構成を示した斜視図である。
【図７】  図６に図示されたランプの電極線をＢ１−Ｂ２で切断した断面構造を示した断面図である。
【図８】  図６に図示された電極線を図５に図示されたモールドフレームに固定させるための固定部材が被服された状態を示した斜視図である。
【図９】  図８に図示された電極線をＣ１−Ｃ２で切断した断面構造を示した断面図である。
【図１０】  図８に図示された電極線を図５に図示されたモールドフレームに固定させた状態を示した斜視図である。
【図１１】  図１０に図示された電極線がモールドフレームの背面に固定された構造を示した断面図である。
【図１２】  図６に図示された電極線をモールドフレームに固定させるための他の実施形態を示した図面である。
【図１３】  図６に図示された電極線の他の結合構造を示した斜視図である。
【図１４】  図１３に図示された電極線をＤ１−Ｄ２で切断した断面構造を示した断面図である。
【図１５】  図６に図示された電極線を採用した液晶表示装置でランプの始動電圧を示したグラフである。
【図１６】  図６に図示された電極線を採用した液晶表示装置でランプの始動電圧を示したグラフである。
【符号の説明】
２００    液晶表示装置
２１０    前面ケース
２２０    背面ケース
２３０    液晶表示モジュール
２３１    モールドフレーム
２７０    ディスプレーユニット
２７１    液晶表示パネル
２８０    第１ランプ
２９０    第２ランプ
２８４ａ    第１電極線
２８４ｂ    第２電極線
２８６    第１コネクタ
２９６    第２コネクタ
２８８    第１収縮チューブ
２９８    第２収縮チューブ
２９９    第３収縮チューブ
【図１】
0004817090.tif 000003
【図２】
0004817090.tif 000004
【図３】
0004817090.tif 000005
【図４】
0004817090.tif 000006
【図５】
0004817090.tif 000007
【図６】
0004817090.tif 000008
【図７】
0004817090.tif 000009
【図８】
0004817090.tif 000010
【図９】
0004817090.tif 000011
【図１０】
0004817090.tif 000012
【図１１】
0004817090.tif 000013
【図１２】
0004817090.tif 000014
【図１３】
0004817090.tif 000015
【図１４】
0004817090.tif 000016
【図１５】
0004817090.tif 000017
【図１６】
0004817090.tif 000018